(57)【要約】【課題】土木建設現場に於いて作業用梯子を仮設する際の固定方法と、その固定方法を実施する際に効果的に使用出来る固定装置を提供する。【解決手段】梯子２６のステップ用横パイプ材２４に挿入可能な差込み杆２と当該差込み杆２の外端に直角向きに連設された支持杆３とから成るＬ字形の固定金具１を使用し、前記支持杆２に、少なくとも前記支持杆３の長さ方向の移動と固定及び前記支持杆３を中心とする回転と固定が可能に装着されたパイプクランプ１４により、前記支持杆３を、梯子周辺の作業足場等の鋼管バタ２７に連結する。【選択図】　　図３
2004108064.tif 000002
【特許請求の範囲】
【請求項１】
ステップ用横パイプ材の両端が左右両側縦材の外側面に開口している梯子の固定方法であって、前記ステップ用横パイプ材に挿入可能な差込み杆部と当該差込み杆部の外端に連なる支持杆部とから成る固定金具を使用し、当該固定金具の差込み杆部を梯子の適当高さにあるステップ用横パイプ材に挿入した状態で、当該固定金具の支持杆部と梯子の周囲に位置する構造物又は当該構造物に固定された繋ぎ部材とをクランプにより連結することを特徴とする、仮設梯子の固定方法。
【請求項２】
前記固定金具の差込み杆部を梯子のステップ用横パイプ材に貫通させて、当該ステップ用横パイプ材から突出する差込み杆部の先端に抜け止めを施すことを特徴とする、請求項１に記載の仮設梯子の固定方法。
【請求項３】
２つの前記固定金具を梯子の左右両側に装着することにより、梯子の左右横方向の移動を前記２つの固定金具で阻止することを特徴とする、請求項１に記載の仮設梯子の固定方法。
【請求項４】
梯子のステップ用横パイプ材に挿入可能な差込み杆部と当該差込み杆部の外端に連なる支持杆部とから成る固定金具と、前記支持杆部に装着されたクランプとを備え、当該クランプは、少なくとも前記支持杆部の長さ方向の位置調整と前記支持杆部の周方向の向き調整とが可能に構成されている、仮設梯子の固定装置。
【請求項５】
前記クランプは、更に、前記支持杆部の長さ方向に対し直交する軸心の周りで向き調整可能に設けられている、請求項４に記載の仮設梯子の固定装置。
【請求項６】
前記クランプは、互いに相対回転自在に背中合わせに連結された２つのパイプクランプの一方であって、他方のパイプクランプは、前記支持杆部に一定範囲内で移動及び回転自在に遊嵌された環状体に前記支持杆部を締結出来るように取り付けられている、請求項５に記載の仮設梯子の固定装置。
【請求項７】
前記差込み杆部に対し支持杆部が略直角向きに連設されている、請求項４〜６の何れかに記載の仮設梯子の固定装置。
【請求項８】
前記差込み杆部と支持杆部とが１本のパイプ材を曲げ加工して一体に構成されている、請求項７に記載の仮設梯子の固定装置。
【請求項９】
梯子のステップ用横パイプ材に挿入された前記差込み杆部を当該梯子に固定する固定手段が設けられている、請求項４〜８の何れかに記載の仮設梯子の固定装置。
【請求項１０】
前記固定手段は、梯子のステップ用横パイプ材を貫通突出する差込み杆部の先端二股部内に支軸で支承された抜け止めピンと、前記差込み杆部の基部の螺軸部に螺嵌された締結用ナットとから成り、前記抜け止めピンは、差込み杆部側の前記支軸が貫通するピン長さ方向の長孔をピン長さの略半分の領域に備え、当該長孔を利用して前記抜け止めピンを、差込み杆部に対しＴ字状の抜け止め姿勢と、差込み杆部と略同心状の差込み姿勢とに切換え可能に構成された、請求項９に記載の仮設梯子の固定装置。
【請求項１１】
前記差込み杆部は、２つの固定金具の各差込み杆部を梯子の１つのステップ用横パイプ材に両側から挿入出来る長さである、請求項４〜８の何れかに記載の仮設梯子の固定装置。
【請求項１２】
前記差込み杆部の先端には延長杆接続部が設けられ、前記梯子のステップ用横パイプ材に挿入可能な延長杆の両端には、前記差込み杆部の延長杆接続部に接続可能な固定金具接続部が設けられている、請求項４〜８の何れかに記載の仮設梯子の固定装置。
【請求項１３】
前記延長杆又は差込み杆部に対しその長さ方向に移動固定自在に外嵌する梯子位置決め具が設けられている、請求項１２に記載の仮設梯子の固定装置。
【発明の詳細な説明】
【０００１】
【発明の属する技術分野】
本発明は、土木建設現場に於いて作業用梯子を仮設する際の固定方法と、その固定方法を実施する際に効果的に使用出来る固定装置とに関するものである。
【０００２】
【従来の技術】
土木建設現場に於いて作業用梯子を仮設するとき、その梯子設置場所によっては、梯子を安全上好適な傾斜角度で立て掛けることが出来ない場合がある。又、仮に安全上好適な傾斜角度で立て掛けることが出来たとしても、梯子を使用する作業者や梯子の周囲を歩行する作業者の不注意で梯子を動かしてしまったり、或いは振動等で梯子の傾斜角度が変動し、梯子が安全に利用出来る状況でなくなる恐れがある。このような場合、従来は、公知文献を具体的に挙げることは出来ないが、梯子の適当高さ部分を梯子周囲の適当な構造物、例えば枠組み足場等に番線等を利用して縛り付けることで固定していた。従って、その作業には多大の手間と時間がかかるだけでなく、作業者の技量によっては十分な安全性が確保出来なかった。
【０００３】
【課題を解決するための手段】
本発明は上記のような従来の問題点を解消し得る仮設梯子の固定方法を提供することを目的とするものであって、その手段を後述する実施形態の参照符号を付して示すと、本発明の仮設梯子の固定方法は、ステップ用横パイプ材２４の両端が左右両側縦材２５ａ，２５ｂの外側面に開口している梯子２６の固定方法であって、前記ステップ用横パイプ材２４に挿入可能な差込み杆部２と当該差込み杆部２の外端に連なる支持杆部３とから成る固定金具１を使用し、当該固定金具１の差込み杆部２を梯子２６の適当高さにあるステップ用横パイプ材２４に挿入した状態で、当該固定金具１の支持杆部３と梯子２６の周囲に位置する構造物（作業足場等）又は当該構造物に固定された繋ぎ部材（鋼管バタ２８）とをクランプ（パイプクランプ１４）により連結することを特徴とする。
【０００４】
上記構成の本発明方法を実施するについて、前記固定金具１の差込み杆部２を梯子２６のステップ用横パイプ材２４に貫通させて、当該ステップ用横パイプ材２４から突出する差込み杆部２の先端に抜け止め（抜け止めピン６等）を施すことが出来る。
【０００５】
又、２つの前記固定金具１を梯子２６の左右両側に装着することにより、梯子２６の左右横方向の移動を前記２つの固定金具１で阻止することが出来る。
【０００６】
本発明は、上記のような固定方法を実施するのに好適な固定装置も提供する。その固定装置は、梯子２６のステップ用横パイプ材２４に挿入可能な差込み杆部２と当該差込み杆部２の外端に連なる支持杆部３とから成る固定金具１と、前記支持杆部３に装着されたクランプ（パイプクランプ１４）とを備え、当該クランプ（パイプクランプ１４）は、少なくとも前記支持杆部３の長さ方向の位置調整と前記支持杆部３の周方向の向き調整とが可能に構成されている。
【０００７】
前記クランプ（パイプクランプ１４）は、更に、前記支持杆部３の長さ方向に対し直交する軸心２２の周りで向き調整可能に設けることが出来る。この場合、前記クランプ（パイプクランプ１４）は、互いに相対回転自在に背中合わせに連結された２つのパイプクランプ１３，１４の一方を利用し、他方のパイプクランプ１３を、前記支持杆部３に一定範囲内で移動及び回転自在に遊嵌された環状体１５に前記支持杆部３を締結出来るように取り付けることが出来る。
【０００８】
前記差込み杆部２と支持杆部３とは、一直線状に連設することも出来るが、差込み杆部２に対し支持杆部３を略直角向きに連設するのが望ましい。この場合、前記差込み杆部２と支持杆部３とを構成する２本のパイプ材をＬ字形に溶接一体化して構成することも出来るし、１本のパイプ材を曲げ加工して一体に構成することも出来る。
【０００９】
又、梯子２６のステップ用横パイプ材２４に挿入した前記差込み杆部２を当該梯子２６に固定する固定手段４を設けることが出来る。この固定手段４としては、梯子２６のステップ用横パイプ材２４を貫通突出する差込み杆部２の先端二股部８内に支軸９で支承された抜け止めピン６と、前記差込み杆部２の基部の螺軸部２ａに螺嵌された締結用ナット７とから構成し、前記抜け止めピン６には、差込み杆部２側の前記支軸９が貫通するピン長さ方向の長孔１０をピン長さの略半分の領域に設け、当該長孔１０を利用して前記抜け止めピン６を、差込み杆部２に対しＴ字状の抜け止め姿勢と、差込み杆部２と略同心状の差込み姿勢とに切換え可能に構成することが出来る。
【００１０】
勿論、梯子２６を左右両側から挟むように２つの固定装置を利用する場合なら、前記差込み杆部２は、２つの固定装置の各差込み杆部２を梯子２６の１つのステップ用横パイプ材２４に両側から挿入出来る長さとすれば良い。
【００１１】
更に、前記差込み杆部２の先端には延長杆接続部３７を設けると共に、前記梯子２６のステップ用横パイプ材２４に挿入可能な延長杆３８の両端には、前記差込み杆部２の延長杆接続部３７に接続可能な固定金具接続部３９を設けておき、２つの固定金具１で梯子２６を左右両側から挟むようにして当該梯子２６を固定するとき、両固定金具１間の間隔を前記延長杆３８で広げることが出来るように構成することが出来る。この場合、前記延長杆３８又は差込み杆部２に対しその長さ方向に移動固定自在に外嵌する梯子位置決め具４１を設けておき、当該梯子位置決め具４１と一方の固定金具１との間、又は２つの梯子位置決め具４１の間で、梯子２６を位置決め出来るように構成することが出来る。
【００１２】
【発明の実施の形態】
以下に本発明の好適実施形態を添付図に基づいて説明すると、図１に於いて、１はＬ字形の固定金具であって、パイプ材から成る差込み杆部２と、当該差込み杆部２の一端に直角向きに固着されたパイプ材から成る支持杆部３とから構成され、差込み杆部２には梯子への固定手段４が付設され、支持杆部３にはパイプクランプユニット５が装着されている。
【００１３】
差込み杆部２の固定手段４は、差込み杆部２の先端部に取り付けられた抜け止めピン６と、差込み杆部２の基部に形成された螺軸部２ａに螺嵌された締結用ナット７とから構成されている。抜け止めピン６は、図２にも示すように、差込み杆部２の先端部に形成された二股部８に嵌合する状態で当該二股部８を横断貫通する支軸（スプリングピン等）９によって支承されたもので、差込み杆部２内に挿入し得る程度の太さのパイプ材から構成されている。
【００１４】
而して、抜け止めピン６には、その長さ方向の中央位置から一端近傍までの長さの略半分の領域に長孔１０が形成され、この長孔１０に前記支軸９が貫通している。従って抜け止めピン６は、図１Ｂに示すように、長孔１０の内端に支軸９が位置して、支軸９を中心とする抜け止めピン６の回転が差込み杆部２の二股部８によって阻止された姿勢、即ち、差込み杆部２に対しＴ字状の抜け止め姿勢から、長孔１０の外端に支軸９が相対的に移動するように抜け止めピン６を差込み杆部２に対し横側方に移動させた後、支軸９を中心に９０度外側へ回転させることにより、差込み杆部と略同心状の差込み姿勢に切換えることが出来る。この実施形態では、差込み杆部２が抜け止めピン６が挿入出来る太さのパイプ材から構成されているので、差込み姿勢にある抜け止めピン６を更に、長孔１０の内端側へ支軸９を相対移動させるように差込み杆部２内に押し込み、差込み姿勢を保持させることが出来る。
【００１５】
締結用ナット７が螺嵌する差込み杆部２の螺軸部２ａは、先端の二股部８を構成するパイプ材の一端に同心状に固着連設した螺軸１１から構成され、この螺軸１１の遊端部を支持杆部３内に直角に挿入させた状態で両者を溶接して、差込み杆部２と支持杆部３とをＬ字形に結合している。当該螺軸部２ａに螺嵌する締結用ナット７には、工具差込み孔を提供するパイプ材１２ａ，１２ｂが直径方向両側に突設されている。
【００１６】
パイプクランプユニット５は、２つのパイプクランプ１３，１４と環状体１５とから構成されている。２つのパイプクランプ１３，１４のそれぞれは同一構造のものであって、ベース部材１６の一端に締め付け用カバー材１７の一端を支軸１８で枢着し、ベース部材１６の他端に支軸１９で枢着したボルト２０をカバー材１７の遊端二股部に係脱自在に係合させた状態で、当該ボルト２０に螺嵌させたナット２１でカバー材１７をベース部材１６側に締め付けることにより、ベース部材１６とカバー材１７との間で鋼管を締結するように構成したものである。この２つのパイプクランプ１３，１４は、そのベース部材１６どうしを背中合わせに重ねた状態で、両ベース部材１６の底面を貫通する結合軸により、軸心２２（前記結合軸の軸心）の周りで互いに相対回転自在に結合一体化され、鋼管バタを使用して枠組み足場を組み立てるとき等に利用される自在パイプクランプとして従来周知のものである。
【００１７】
パイプクランプユニット５の環状体１５は、支持杆部３に対しその長さ方向の移動と当該支持杆部３の軸心の周りの回転とが可能なように、支持杆部３に遊嵌され、この環状体１５の一側辺にパイプクランプ１３のベース部材１６を、当該パイプクランプ１３で支持杆部３を締め付けることが出来るように、溶接により固着している。従って、支持杆部３に遊嵌するパイプクランプ１３は、他の鋼管等に結合するパイプクランプ１４を支持杆部３に対して位置決めする位置決め用パイプクランプとなり、この位置決め用パイプクランプ１３のカバー材１７を弛めて当該位置決め用パイプクランプ１３及び環状体１５を支持杆部３に対してフリーにすることにより、パイプクランプ１４は、支持杆部３に対して、その長さ方向の移動と支持杆部３の軸心の周りの回転とが自由になり、この位置決め用パイプクランプ１３を支持杆部３に締結してパイプクランプ１４の位置と向きを固定した状態で、更に支持杆部３に対して直交する軸心２２の周りに回転させることが出来る。
【００１８】
尚、パイプクランプユニット５が支持杆部３から抜け落ちるのを防止するため、パイプクランプユニット５を支持杆部３に組み付けた状態で、支持杆部３の遊端（差込み杆部２のある側とは反対側）に当該支持杆部３より若干大径のフランジ板２３を固着している。
【００１９】
上記構成の固定装置を利用する本発明の仮設梯子の固定方法の一例を説明すると、図３及び図４に示すように、本発明方法の適用が可能な梯子は、各段のステップ用横パイプ材２４の両端が左右両側縦材２５ａ，２５ｂの外側面に開口しているものである。この梯子２６を、例えば鋼管バタを利用して組み立てられた枠組み構造の作業足場に対する作業者の昇降用に使用する場合、当該作業足場の外側に立て掛けたとき、当該梯子２６の内側には足場組み立て鋼管バタ２７が位置することになるので、梯子２６を固定する対象に選択した鋼管バタ２７に近い位置にあるステップ用横パイプ材２４に、その一端開口部から固定金具１の差込み杆部２を挿入し、固定する。
【００２０】
即ち、差込み杆部３は、梯子２６のステップ用横パイプ材２４の全長より適当長さ長いものであり、この差込み杆部２の先端の抜け止めピン６を図２に実線で示す差込み姿勢にした状態で、差込み杆部２をステップ用横パイプ材２４に、その一端開口部から差し込んで抜け止めピン６を当該ステップ用横パイプ材２４の他端から突出させる。この状態で抜け止めピン６を差込み杆部２の先端から引き出して９０度回転させると共に差込み杆部２の長さ方向に対し直交する方向に移動させて、図１Ｂに示す抜け止め姿勢に切り換える。若し、抜け止めピン６の向きが、差込み杆部２の先端から逆Ｌ字状に垂れ下がる向きであるときは、手で抜け止めピン６を抜け止め姿勢に保持させた状態で、次に締結用ナット７を締め付けて、このナット７と抜け止めピン６との間で梯子２６の左右両側縦材２５ａ，２５ｂを軽く挟み付ける。
【００２１】
上記のようにして、梯子２６に固定金具１を仮止めしたならば、差込み杆部２と一体に当該差込み杆部２を中心とする支持杆部３の上下方向の回転と、支持杆部３に対するパイプクランプ１４の移動及び回転と、軸心２２の周りの自転とを利用して、締め付け用カバー材１７を開いた状態のパイプクランプ１４を、前記足場組み立て鋼管バタ２７の適当箇所に嵌合させ、締め付け用カバー材１７をボルト２０とナット２１とでベース部材１６に締め付けて、当該パイプクランプ１４を前記足場組み立て鋼管バタ２７に固定する。そして、支持杆部３に対してパイプクランプ１３を同様に固定すると共に、固定手段４の締結用ナット７を締め付けて、固定金具１を梯子２６に固定することにより、梯子２６と足場組み立て鋼管バタ２７とを連結固定することが出来る。
【００２２】
梯子２６は、出来るならば少なくとも上下２箇所を、上記のように本発明の固定装置を利用して作業足場の鋼管バタ２７に連結固定するのが望ましく、このように梯子２６を固定することにより、梯子２６を略垂直姿勢でも安全に使用出来る。梯子２６の高さ方向上下複数箇所に本発明装置を適用する場合、本発明装置の固定金具１は、梯子２６の左右何れか片側にのみ配置しても良いが、左右両側に振り分け配置するのが望ましい。
【００２３】
図３及び図４では、梯子２６のステップ用横パイプ材２４と平行な左右水平向きの足場組み立て鋼管バタ２７を梯子固定の対象としているが、上記のようにパイプクランプ１４の位置と向きは、殆ど制限なく自由に変えることが出来るので、梯子固定の対象としては垂直向きの鋼管バタや前後水平向きの鋼管バタ等も利用出来る。又、作業足場等の構造物に直接パイプクランプ１４を結合出来ないときは、その梯子固定の対象としての構造物に繋ぎ部材としての鋼管バタ２８（図４に仮想線で示す）の一端側を固定し、この鋼管バタ２８の遊端部に固定金具１をパイプクランプ１４で固定することも出来る。この場合、パイプクランプ１４は固定金具１に対し軸心２２の周りに自転可能であるから、前記の繋ぎ部材としての鋼管バタ２８は、構造物に対し揺動出来ないように、少なくとも長さ方向の２箇所で構造物に固定しておくことが望ましい。
【００２４】
図５に示す実施形態の固定装置は、その固定金具１の差込み杆部３の長さを梯子２６のステップ用横パイプ材２４の長さの半分以下とし、当該差込み杆部２に梯子への固定手段４は設けないで構成したものである。この構成によれば、２つの固定装置を梯子２６の左右両側に配置し、１つのステップ用横パイプ材２４に各固定金具１の差込み杆部２を互いに逆向きに挿入した状態で、各固定金具１の支持杆部３をそれぞれパイプクランプ１４を利用して作業足場の鋼管バタ２７に固定することにより、梯子２６に対し各固定金具１を固定手段で固定しなくとも、２つの固定金具１で梯子２６の同一高さ位置を挟んで当該梯子２６が左右横方向に移動するのを防止して、安全に使用することが出来る。
【００２５】
勿論、梯子２６の左右両側に配置した固定金具１の差込み杆部２を、梯子２６の上下方向に高さの異なるステップ用横パイプ材２４に互いに逆向きに挿入しても良い。又、各固定金具１をパイプクランプ１４で固定する鋼管バタ２７は、同一のものに限定されるわけではなく、異なる２つの鋼管バタ２７に各固定金具１を固定しても良い。又、図５では、差込み杆部３の基部に梯子２６の左右両側縦材２５ａ，２５ｂの外側面に当接する当て材２９を付設しているが、支持杆部３の側面に梯子２６の左右両側縦材２５ａ，２５ｂを当接させるように構成しても良い。
【００２６】
更に、図６に示すように、支持杆部３に移動及び回転自在に外嵌させた環状体３０に支持杆部３に対する固定用ネジ３１を設け、この環状体３０にパイプクランプ１４を取り付けることも出来る。この場合、パイプクランプ１４は、先の実施形態で説明したように、支持杆部３に対し直交する軸心２２の周りに回転可能に環状体３０に取り付けても良いし、一定向きで環状体３０に固定しても良い。
【００２７】
又、差込み杆部２に梯子２６への固定手段４を設ける場合、その固定手段４は、図６に示すように、差込み杆部２の先端から固着突設した螺軸部３２と、当該螺軸部３２に螺合するナット３３とから構成することも出来る。３４は必要に応じて使用出来る座金である。この場合、ナット３３を外した状態で差込み杆部２を梯子２６のステップ用横パイプ材２４に貫通させ、当該ステップ用横パイプ材２４から突出する螺軸部３２にナット３３を螺合締結して梯子２６に固定金具１を固定することになる。この場合の差込み杆部２の基部に必要な梯子受け部として、前記の当て材２９を利用出来るが、支持杆部３で直接梯子２６を受けるようにしても良い。更に、差込み杆部２に設ける梯子への固定手段としては、差込み杆部２の先端に設けられたネジ孔と、当該ネジ孔に対し抜き取り可能に螺合する止めネジとで構成することも出来る。
【００２８】
又、固定金具１の支持杆部３を構造物等に固定する手段としてのクランプにパイプクランプ１４を使用しているが、コ型クランプと呼称されるクランプ、即ち、コ字状の本体の対向両側板の一方に他方の側板との間で構造物等を挟み付けて固定するクランプ用ネジを設けたコ型クランプ等も利用出来る。
【００２９】
上記実施形態では、差込み杆部２に対し支持杆部３を直角向きに連設したが、場合によっては、差込み杆部２と支持杆部３とを一直線状に連設することも可能である。この場合、差込み杆部２と支持杆部３との間に梯子２６の左右両側縦材２５ａ，２５ｂの外側面に当接可能なフランジ材を設けておくのが望ましい。
【００３０】
又、図１〜６に示した各実施形態のように、固定金具１をＬ字形に構成する場合、図７に示すように、１本のパイプ材３５をＬ字形に曲げ加工して差込み杆部２と支持杆部３とを一体化することも出来る。図７では、差込み杆部２の長さを、図５に示した実施形態と同様に短くして、仮想線で示すように２つの固定金具１で梯子２６を左右両側から挟むようにして当該梯子２６を固定出来るように構成している。
【００３１】
更に、図５や図７に示すように、２つの固定金具１で梯子２６を左右両側から挟むようにして当該梯子２６を固定出来るように構成する場合、図８に示すように、固定金具１の差込み杆部２の先端に、例えばナット３６を内嵌固着する等して構成した延長杆接続部３７を設け、梯子２６のステップ用横パイプ材２４に挿通できる延長杆３８の両端には、前記固定金具１の延長杆接続部３７に接続可能な固定金具接続部３９を、例えばボルト４０の頭部４０ａを延長杆３８の端部に内嵌溶接する等して設けることが出来る。
【００３２】
上記の構成によれば、図９に示すように、１つの固定金具１の差込み杆部２の先端に、前記延長杆接続部３７と固定金具接続部３９とを利用して所要長さの延長杆３８を接続し、この延長杆３８とこれに接続する差込み杆部２とを梯子２６のステップ用横パイプ材２４に一端から貫通させ、係る状態で延長杆３８の他端に他の固定金具１の差込み杆部２を、前記延長杆接続部３７と固定金具接続部３９とを利用して接続し、以て、２つの固定金具１間の間隔を延長杆３８の長さ分だけ広げることが出来る。従って、２つの固定金具１で梯子２６を直接挟むようにしたのでは、両固定金具１の支持杆部３をそれぞれ周辺の構造物又は当該構造物に固定された繋ぎ部材にクランプ（パイプクランプ１４）で締結することが出来ないような場合に便利である。
【００３３】
上記のように延長杆３８を併用する場合、図９に示すように、前記延長杆３８又は差込み杆部２に対しその長さ方向に移動固定自在に外嵌する梯子位置決め具４１を併用するのが望ましい。この梯子位置決め具４１は、前記延長杆３８又は差込み杆部２に対しその長さ方向に移動固定自在に外嵌する環状体４２の一端に梯子２６の左右両側縦材２５ａ，２５ｂの外側面に当接させることが出来るフランジ部４３を設けると共に、当該環状体４２を前記延長杆３８又は差込み杆部２に固定する締結ボルト４４を設けたものである。
【００３４】
上記の梯子位置決め具４１を併用するときは、梯子２６を、一方の固定金具１の支持杆部３と前記梯子位置決め具４１とで挟み付けて、梯子２６を一方の固定金具１に隣接する位置に位置決めしたり、２つの梯子位置決め具４１を使用して、２つの固定金具１の各支持杆部３間の任意の位置に梯子２６を位置決めすることが出来る。尚、上記の延長杆３８を併用する構成は、差込み杆部２が梯子２６のステップ用横パイプ材２４より長い構成の固定金具１にも適用出来る。
【００３５】
【発明の効果】
本発明は以上のように実施し且つ使用することが出来るものであって、係る本発明の仮設梯子の固定方法によれば、ステップ用横パイプ材の両端が左右両側縦材の外側面に開口している梯子であれば、固定金具の差込み杆部を梯子の適当高さにあるステップ用横パイプ材に挿入した状態で、当該固定金具の支持杆部を梯子周辺の構造物（作業足場等）又は当該構造物に固定された繋ぎ部材にクランプで連結することによって、当該梯子を位置決めすることが出来るので、番線等で当該梯子と周辺の構造物（作業足場等）とを結び付けるように締結する場合と比較して、梯子固定作業を簡単容易に行えると共に、番線を結節する特別な技量も要しないので、一定の梯子固定効果を確実に得ることが出来、仮設梯子を安全に使用することが出来る。
【００３６】
尚、請求項２に記載の構成によれば、１つの固定金具を使用する場合でも、梯子の左右横方向の移動も確実に防止することが出来る。又、請求項３に記載の構成によれば、２つの固定金具を併用するだけで梯子の左右横方向の移動を確実に防止すると共に梯子の姿勢を確実に保持させることが出来、より安全に梯子を使用することが出来る。又、固定金具の差込み杆部を梯子の巾よりも短くすることが出来るので、固定金具をコンパクトに構成出来る。
【００３７】
又、本発明は、上記の仮設梯子の固定方法を実施するのに好適な固定装置も提供しており、係る本発明装置の構成、即ち、請求項４に記載の構成によれば、梯子のステップ用横パイプ材に挿入可能な差込み杆部に連設された支持杆部を構造物等に固定するクランプが、少なくとも前記支持杆部の長さ方向の位置調整と前記支持杆部の周方向の向き調整とが可能に構成されているので、構造物側の梯子固定対象箇所が広がり、当該構造物側の梯子固定対象箇所に対する支持杆部の固定作業も容易に行える。この場合、請求項５に記載の構成によれば、一層効果的である。
【００３８】
又、請求項６に記載の構成によれば、交差する鋼管バタどうしを任意の角度で互いに固定する自在クランプとして知られているものを固定金具の支持杆部を構造物側の梯子固定対象箇所に固定する手段として活用することが出来、支持杆部に対するパイプクランプの固定も確実強力に行える。又、支持杆部にパイプクランプが一体化されているので、取り扱いも簡単で作業性も良い。
【００３９】
更に、請求項７に記載の構成によれば、Ｌ字形の固定金具となって、その差込み杆部を中心に支持杆部を回転させて、クランプの位置を上下に調整することが出来、梯子の固定作業が一層行い易くなる。
【００４０】
又、請求項８に記載の構成によれば、固定金具の大幅なコストダウンを図ることが出来る。
【００４１】
又、請求項９に記載の構成によれば、一つの固定装置で梯子を左右横方向に移動させることのない状態に固定することが出来る。この場合、請求項１０に記載の構成によれば、固定金具の差込み杆部を梯子に固定する固定手段が当該差込み杆部に一体化されているので、取り扱いも簡単で固定作業も簡単容易に行える。
【００４２】
又、請求項１１に記載の構成によれば、請求項３に記載の本発明方法を実施するのに好適な固定装置が得られる。
【００４３】
更に、請求項１２に記載の構成によれば、２つの固定金具で梯子を左右両側から挟むようにして当該梯子を固定するとき、両固定金具間の間隔を延長杆で広げることが出来るので、梯子を固定する対象物、即ち、両固定金具の支持杆部をクランプで固定する構造物又は当該構造物に固定された繋ぎ部材の位置に関する許容範囲が広がり、当該固定装置の汎用度を高めることが出来る。この場合、請求項１３に記載の構成によれば、梯子の左右両側に配置される２つの固定金具間の間隔を梯子の巾に比較して大巾に広げながら、梯子を両固定金具間の所定位置に確実に位置決めすることが出来、安全性を高めることが出来る。
【図面の簡単な説明】
【図１】Ａ図は固定装置の一部省略正面図であり、Ｂ図は同固定装置の一部省略平面図である。
【図２】同固定装置の差込み杆部先端部の詳細を示す平面図である。
【図３】同固定装置の使用状態を示す一部縦断平面図である。
【図４】図３の一部縦断拡大側面図である。
【図５】固定装置の別の使用状態を示す一部縦断平面図である。
【図６】固定装置の変形例を示す一部省略正面図である。
【図７】固定装置の別の変形例を使用状態で示す一部横断平面図である。
【図８】固定装置の更に別の変形例を示す要部の縦断面図である。
【図９】図８に示す変形例の使用状態を示す一部横断平面図である。
【符号の説明】
１　　Ｌ字形の固定金具
２　　差込み杆部
２ａ　　螺軸部
３　　支持杆部
４　　梯子への固定手段
５　　パイプクランプユニット
６　　抜け止めピン（固定手段）
７　　締結用ナット（固定手段）
８　　差込み杆部先端の二股部
９　　抜け止めピンの支軸（スプリングピン等）
１０　　抜け止めピンの長孔
１３，１４　　パイプクランプ（パイプクランプユニット）
１５　　環状体（パイプクランプユニット）
２２　　パイプクランプ１４の回転軸心
２４　　ステップ用横パイプ材（梯子）
２５ａ，２５ｂ　　左右両側縦材（梯子）
２６　　梯子
２７，２８　　鋼管バタ
３０　　環状体
３１　　固定用ネジ
３２　　差込み杆部先端の螺軸部
３３　　ナット
３５　　パイプ材
３７　　延長杆接続部
３８　　延長杆
３９　　固定金具接続部
４１　　梯子位置決め具
【図１】
2004108064.tif 000003
【図２】
2004108064.tif 000004
【図３】
2004108064.tif 000005
【図４】
2004108064.tif 000006
【図５】
2004108064.tif 000007
【図６】
2004108064.tif 000008
【図７】
2004108064.tif 000009
【図８】
2004108064.tif 000010
【図９】
2004108064.tif 000011